(57)【要約】      （修正有）【課題】燃料カットの際のトルクショックを抑制しつつ燃費の一層の改善を図る。【解決手段】燃料カット条件成立後、内燃機関のクランクシャフトから駆動力の供給を受けて発電する発電機による発電量を逓増させ、しかる後、実際に気筒への燃料供給を停止する以前に、増大させていた発電量を低下させる制御を行う。即ち、燃料カット条件成立から実際に燃料供給を遮断するまでの期間に発電量を増大させることにより、運動エネルギを電気エネルギに変換して回収しながら、エンジントルクを速やかに低下させる。その上で、実際に燃料供給を遮断したときには、既に発電機による発電量を低下させているので、燃料供給の遮断によるエンジントルクの低落と発電機による機械的負荷の増加とが重ならず、大きなトルクショックを引き起こさない。【選択図】図３
2015025408.tif 000002
【特許請求の範囲】
【請求項１】
所定の燃料カット条件が成立した場合に気筒への燃料供給を一時停止する燃料カットを行うものであって、
燃料カット条件成立後、内燃機関のクランクシャフトから駆動力の供給を受けて発電する発電機による発電量を逓増させ、
その後、実際に気筒への燃料供給を停止する以前に、増大させていた発電量を低下させることを特徴とする内燃機関の制御装置。
【発明の詳細な説明】
【技術分野】
【０００１】
本発明は、内燃機関の制御装置に関する。
【背景技術】
【０００２】
車両等に搭載される内燃機関では、その運転状況に応じて燃料噴射を一時的に停止する燃料カットを行うことが知られている。通常、アクセルペダルの踏込量が０または０に近い閾値以下となり、かつエンジン回転数が燃料カット許可回転数以上あるときに、燃料カット条件が成立したものとして燃料カットを開始する。そして、アクセルペダルの踏込量が閾値を上回った、エンジン回転数が燃料カット復帰回転数まで低下した等の何れかの燃料カット終了条件が成立したときに、燃料カットを終了、燃料噴射を再開する。
【０００３】
エンジントルクが比較的大きい段階で、急に燃料供給を遮断すると、エンジン回転数や車速がステップ的に急落するトルクショックが発生し、運転者を含む搭乗者に衝撃を感じさせる。このトルクショックを軽減するべく、従来より、燃料カット条件が成立しても即時には燃料噴射を停止せず、一定の遅延時間の経過を待ってから燃料噴射を停止するようにしている（例えば、下記特許文献１を参照）。
【０００４】
また、燃料噴射の停止と同時に、オルタネータによる発電量を増大させ、運動エネルギを電気エネルギに変換して回収する回生制動を行うことも知られている（例えば、下記特許文献２または３を参照）。
【先行技術文献】
【特許文献】
【０００５】
【特許文献１】特開平１０−０３０４７７号公報
【特許文献２】特開平１１−１０７８０５号公報
【特許文献３】特開平２００４−０６４８１１号公報
【発明の概要】
【発明が解決しようとする課題】
【０００６】
燃料カット条件の成立から実際に燃料カットを開始するまでの遅延時間にも、燃料噴射及び燃焼は継続されている。よって、その分だけ実効燃費が悪化することになる。
【０００７】
また、燃料カットの開始とともにオルタネータによる発電量を増大させることは、燃料供給の遮断によるエンジントルクの低落とオルタネータによる機械的負荷の増加とが重なってトルクショックをより大きくしてしまうきらいがある。
【０００８】
本発明は、上述の問題に着目してなされたものであり、燃料カットの際のトルクショックを抑制しつつ燃費の一層の改善を図ることを所期の目的としている。
【課題を解決するための手段】
【０００９】
本発明では、所定の燃料カット条件が成立した場合に気筒への燃料供給を一時停止する燃料カットを行うものであって、燃料カット条件成立後、内燃機関のクランクシャフトから駆動力の供給を受けて発電する発電機による発電量を逓増させ、その後、実際に気筒への燃料供給を停止する以前（燃料供給の停止と同時を含む）に、増大させていた発電量を低下させることを特徴とする内燃機関の制御装置を構成した。
【００１０】
即ち、燃料カット条件成立から実際に燃料供給を遮断するまでの期間に発電量を増大させることにより、運動エネルギを電気エネルギに変換して回収しながら、エンジントルクを速やかに低下させるようにした。燃料供給の遮断前にエンジントルクが十分に低下していれば、燃料供給を遮断したとしても大きなトルクショックは発生しない。そして、実際に燃料供給を遮断したときには、既に発電機による発電量を低下させているので、燃料供給の遮断によるエンジントルクの低落と発電機による機械的負荷の増加とが重ならずに済む。
【発明の効果】
【００１１】
本発明によれば、燃料カットの際のトルクショックを抑制しつつ燃費の一層の改善を図ることができる。
【図面の簡単な説明】
【００１２】
【図１】本発明の一実施形態における内燃機関の概略構成を示す図。
【図２】同実施形態の制御装置がエアコンディショナのコンプレッサや各種電気負荷を作動させるための電気回路を示す図。
【図３】同実施形態の制御装置が燃料カット条件成立から燃料カット開始までの期間に実施する制御の内容を示すタイミングチャート。
【図４】同実施形態の制御装置が実施する処理の手順例を示すフローチャート。
【発明を実施するための形態】
【００１３】
本発明の一実施形態を、図面を参照して説明する。図１に、本実施形態における車両用内燃機関の概要を示す。本実施形態における内燃機関は、火花点火式ガソリンエンジンであり、複数の気筒１（図１には、そのうち一つを図示している）を具備している。各気筒１の吸気ポート近傍には、燃料を噴射するインジェクタ１１を設けている。また、各気筒１の燃焼室の天井部に、点火プラグ１２を取り付けてある。点火プラグ１２は、点火コイルにて発生した誘導電圧の印加を受けて、中心電極と接地電極との間で火花放電を惹起するものである。
【００１４】
吸気を供給するための吸気通路３は、外部から空気を取り入れて各気筒１の吸気ポートへと導く。吸気通路３上には、エアクリーナ３１、電子スロットルバルブ３２、サージタンク３３、吸気マニホルド３４を、上流からこの順序に配置している。
【００１５】
排気を排出するための排気通路４は、気筒１内で燃料を燃焼させた結果発生した排気を各気筒１の排気ポートから外部へと導く。この排気通路４上には、排気マニホルド４２及び排気浄化用の三元触媒４１を配置している。
【００１６】
車両には、複数の外部負荷が付随する。外部負荷の具体例として、エアコンディショナの冷媒圧縮用コンプレッサや、各種の電気負荷、例えば、エアコンディショナの送風用ブロワ、リアガラスの曇りを取るデフォッガ、オーディオ機器、カーナビゲーションシステム、照明灯（ヘッドランプ、テールランプ、フォグランプ、ウィンカ（ターンシグナルランプ）等）、冷却水を空冷するラジエータのファン、電動パワーステアリング装置等を挙げることができる。
【００１７】
エアコンディショナのコンプレッサは、内燃機関のクランクシャフトから回転トルクの伝達を受けて回転駆動され、冷媒を圧縮する。図２に示すように、コンプレッサとクランクシャフトとの間には、断接切換可能なマグネットクラッチ６１が介在している。エアコンディショナを稼働するときには、このマグネットクラッチ６１に車載バッテリ６２及び／またはオルタネータ６３からの電流を通電し、マグネットクラッチ６１を締結する。逆に、エアコンディショナを稼働しないときには、マグネットクラッチ６１に通電せず、クラッチ６１を切断する。マグネットクラッチ６１への通電及びその遮断は、リレースイッチ６４のＯＮ／ＯＦＦによって行う。
【００１８】
送風用ブロワを回転駆動するモータ６６や、デフォッガとしてリアガラスに敷設された電熱線ヒータ６８は、バッテリ６２及び／またはオルタネータ６３から電力供給を受けて作動する。モータ６６やヒータ６８への通電及びその遮断は、リレースイッチ６７のＯＮ／ＯＦＦ、または半導体スイッチング素子（パワートランジスタ、パワーＭＯＳＦＥＴ等に代表されるパワーデバイス）６９の点弧／消弧によって行う。
【００１９】
オーディオ機器、カーナビゲーションシステム、照明灯、ラジエータファンを回転駆動するモータその他の電気負荷についても、上記と同様である。
【００２０】
電気負荷への電力供給の源であるオルタネータ６３は、内燃機関のクランクシャフトから駆動力の伝達を受けて回転駆動され、発電を行う一種の発電機である。オルタネータ６３は、ベルト及びプーリを要素とする巻掛伝動機構等を介してクランクシャフトに接続している。オルタネータ６３が発電し出力する電圧の大きさは、レギュレータ６５を介して制御することができる。レギュレータ６５は、オルタネータ６３に付帯するＩＣ式の既知のもので、オルタネータ６３のフィールドコイルへの通電をＯＮ／ＯＦＦ切り替えするスイッチング動作を行う。
【００２１】
オルタネータ６３の出力電圧、即ちオルタネータ６３のステータコイルに誘起される電圧は、フィールドコイルを流れるフィールド電流のＤＵＴＹ比であるｆＤＵＴＹに比例して大きくなる。レギュレータ６５は、ＥＣＵ（Ｅｌｅｃｔｒｏｎｉｃ  Ｃｏｎｔｒｏｌ  Ｕｎｉｔ）０からオルタネータの出力電圧を指令する信号ｒを受け付け、その指令された出力電圧を実現するようにｆＤＵＴＹを調節するＰＷＭ制御を行う。このＰＷＭ制御により、オルタネータ６３の発電する電力を増減させることができる。オルタネータ６３による発電量、換言すればバッテリ６２への充電量及び／または電気負荷への給電量は、ｆＤＵＴＹが高いほど増加し、ｆＤＵＴＹが低いほど減少する。
【００２２】
広汎に普及している車両用オルタネータ６３のレギュレータ６５では、オルタネータ６３の出力電圧を二段階、例えば１４．５Ｖまたは１２．８Ｖに切り替えることができる。この場合のＥＣＵ０は、レギュレータ６５に対し、オルタネータ６３の出力電圧をＨＩ電位＝１４．５Ｖとするか、ＬＯ電位＝１２．８Ｖとするかを指令する信号ｒを入力する。
【００２３】
レギュレータ６５として、オルタネータ６３の出力電圧を所定範囲、例えば１２Ｖ〜１５．５Ｖの間で連続的に変えることのできるリニアレギュレータを採用することもできる。この場合のＥＣＵ０は、レギュレータ６５に対し、オルタネータ６３の出力電圧を範囲内の何れの値にするかを指令する信号ｒを入力する。
【００２４】
オルタネータ６３のＬＯ電位または最低出力電圧は、バッテリ６２の電圧以下またはバッテリ６２の電圧に近い低電圧に定めることが望ましい。バッテリ電圧はバッテリ６２の充電状態等に応じて上下するものの、通常は所定電圧、例えば１２Ｖ以上である。
【００２５】
オルタネータ６３は、内燃機関から見れば機械的な負荷となる。オルタネータ６３の出力電圧がバッテリ６２の電圧を超越するとき、バッテリ６２が充電され、かつオルタネータ６３から電気負荷に電力が供給される。つまり、オルタネータ６３がクランクシャフトの回転のエネルギを費やして電気エネルギを生成する仕事をする。バッテリ６２への充電量及び電気負荷への給電量は、オルタネータ６３の出力電圧とバッテリ電圧との電位差に依存する。
【００２６】
逆に、オルタネータ６３の出力電圧がバッテリ電圧に満たないか、バッテリ電圧に近いときには、バッテリ６２が充電されず、またオルタネータ６３からは電気負荷に電力が供給されない（バッテリ６２から電気負荷に電力供給されることはある）。つまり、オルタネータ６３がクランクシャフトの回転のエネルギを費やす仕事をしないか、またはその仕事が小さくなる。
【００２７】
要するに、ＥＣＵ０からレギュレータ６５に高い出力電圧を指令すると、エンジン回転に対するオルタネータ６３の機械負荷が増し、低い出力電圧を指令すると、エンジン回転に対するオルタネータ６３の機械負荷が減る。
【００２８】
本実施形態の制御装置たるＥＣＵ０は、プロセッサ、メモリ、入力インタフェース、出力インタフェース等を有したマイクロコンピュータシステムである。
【００２９】
入力インタフェースには、車両の実車速を検出する車速センサから出力される車速信号ａ、クランクシャフトの回転角度及びエンジン回転数を検出するエンジン回転センサから出力されるクランク角信号ｂ、アクセルペダルの踏込量またはスロットルバルブ３２の開度をアクセル開度（運転者が要求する機関出力、いわば要求負荷）として検出するセンサから出力されるアクセル開度信号ｃ、シフトレバーのレンジを知得するためのセンサ（シフトポジションスイッチ）から出力されるシフトレンジ信号ｄ、吸気通路３（特に、サージタンク３３）内の吸気温及び吸気圧を検出する温度・圧力センサから出力される吸気温・吸気圧信号ｅ、内燃機関の温度を示唆する冷却水温を検出する水温センサから出力される冷却水温信号ｆ、吸気カムシャフトまたは排気カムシャフトの複数のカム角にてカム角センサから出力されるカム角信号ｇ、車載バッテリ６２の充電状態を示唆する指標（バッテリ電流、バッテリ電圧、及び／または、バッテリ温度）を検出するセンサから出力されるバッテリ状態信号ｈ、オルタネータによる発電量を示唆する指標（出力電流または出力電力）を検出するセンサから出力される発電量信号ｓ等が入力される。
【００３０】
出力インタフェースからは、点火プラグ１２のイグナイタに対して点火信号ｉ、インジェクタ１１に対して燃料噴射信号ｊ、スロットルバルブ３２に対して開度操作信号ｋ、マグネットクラッチ６１に通電する電気回路上のスイッチ６４に対してクラッチ締結信号ｏ、モータ６６やヒータ６８その他の電気負荷に通電する電気回路上のスイッチ６７、６９に対してスイッチＯＮ信号ｐ、ｑ、オルタネータ６３が発電する電圧を制御する電圧レギュレータ６５に対して電圧指示信号ｒ等を出力する。
【００３１】
ＥＣＵ０のプロセッサは、予めメモリに格納しているプログラムを解釈、実行し、運転パラメータを演算して内燃機関の運転を制御する。ＥＣＵ０は、内燃機関の運転制御に必要な各種情報ａ、ｂ、ｃ、ｄ、ｅ、ｆ、ｇ、ｈ、ｓを入力インタフェースを介して取得し、エンジン回転数を知得するとともに気筒１に充填される吸気量を推算する。そして、それらエンジン回転数及び吸気量等に基づき、要求される燃料噴射量、燃料噴射タイミング（一度の燃焼に対する燃料噴射の回数を含む）、燃料噴射圧、点火タイミングといった各種運転パラメータを決定する。運転パラメータの決定手法自体は、既知のものを採用することが可能である。ＥＣＵ０は、運転パラメータに対応した各種制御信号ｉ、ｊ、ｋ、ｏ、ｐ、ｑ、ｒを出力インタフェースを介して印加する。
【００３２】
本実施形態のＥＣＵ０は、運転状況に応じてインジェクタ１１からの燃料噴射（及び、点火プラグ１２による点火）を一時的に停止する燃料カットを実行する。通常、アクセルペダルの踏込量が０または０に近い閾値以下となり、かつエンジン回転数が燃料カット許可回転数以上あるときに、燃料カット条件が成立したものとする。
【００３３】
但し、燃焼カット条件が成立したとしても、即座に気筒１への燃料噴射を停止するわけではない。図４に、本実施形態のＥＣＵ０が燃料カットに際して実行する処理の手順を示す。
【００３４】
燃料カット条件が成立したとき（ステップＳ１）、ＥＣＵ０は、気筒１に燃料を噴射して燃焼させる運転を維持しつつ（ステップＳ２）、オルタネータ６３の出力電圧（ｆＤＵＴＹ）を増大させることでオルタネータ６３による発電量を徐々に増大させる（ステップＳ３）。発電量を徐変させるのは、内燃機関に対する負荷が急変してショックとなることを防止する意図である。そして、燃料噴射を停止してよい状況が整ったと思しきタイミングにて（ステップＳ４）、一時的に増大させていた発電量を低下させ（ステップＳ５）、燃料噴射（及び、点火）を停止する（ステップＳ６）。
【００３５】
図３は、本実施形態のＥＣＵ０による燃料カット制御の内容を説明するタイミングチャートである。図３中、実線は、本実施形態のＥＣＵ０による制御がもたらすエンジントルク（内燃機関から車軸に向けて供給される正回転方向のトルク）、発電量及び燃料カットフラグの推移を表している。並びに、一点鎖線は、従来の制御に則ったそれらの推移を表している。なお、細い破線については、後述する。
【００３６】
図３において、アクセルペダルの踏込量（アクセル開度）が０近傍となった時点ｔ0が、燃料カット条件の成立時点である。燃料カット条件が成立する場合、アクセルペダルは踏み込まれていないことから、スロットルバルブ３２の開度が小さくなっており、気筒１に充填される吸気量及び燃料噴射量が顕著に減少する。加えて、燃料カット条件成立後、点火タイミングを遅角補正することもある。その上で、内燃機関に対するオルタネータ６３の機械的負荷を増加させる（ステップＳ３）ので、気筒１への燃料供給を継続している（ステップＳ２）といえども、エンジントルクは速やかに減少する。
【００３７】
燃料噴射を停止してよい状況とは、エンジントルクが必要十分に低下し、燃料噴射を停止しても大きなトルクショックを引き起こさないような状況のことである。ＥＣＵ０は、エンジントルクが許容トルク以下に低下した頃、内燃機関に対するオルタネータ６３の機械的負荷を減少させて（ステップＳ５）気筒１への燃料供給を遮断する（ステップＳ６）。
【００３８】
この結果、従来の制御と比較して、燃料カット条件成立から燃料カットフラグがＯＮになり実際に燃料噴射を停止するまでの遅延時間が短縮される。図３に示しているように、本実施形態の制御では時点ｔ1にて燃料カットフラグがＯＮになるが、従来の制御ではそれよりも遅い時点ｔ2になってはじめて燃料カットフラグがＯＮになる。つまり、時点ｔ1から時点ｔ2までの区間だけ、時点ｔ0からの遅延時間が短くなる。ひいては、無駄な燃料消費が削減される。
【００３９】
加えて、本実施形態の制御による燃料カット開始時点ｔ1でのエンジントルクは、従来の制御による燃料カット開始時点ｔ2でのエンジントルクよりも小さくなる。即ち、従来と比べて、燃料噴射を停止したときのトルクの落差ひいてはショックを減少させることが可能である。
【００４０】
ステップＳ４の分岐判断が真となる条件、つまり実際に燃焼噴射を停止するための条件については、幾つかの態様が考えられる。典型的な手法は、燃料カット条件成立後のエンジントルクを反復的に推算し、そのエンジントルクが許容トルクに達したときに、燃料噴射を停止するというものである。
【００４１】
あるいは、燃料カット条件成立時のエンジン回転数及び吸気管内圧力等に基づいて遅延時間を定め、燃料カット条件の成立時からその遅延時間が経過したことを以て、ステップＳ４の分岐判断が真となる、即ち燃料カットを開始するようにしてもよい。この場合のＥＣＵ０は、エンジン回転数、吸気管内圧力、冷却水温、エアコンディショナや電気負荷の稼働状況、バッテリの充電状態等と、設定するべき遅延時間との関係を規定したマップデータを予めメモリに格納して保持している。ＥＣＵ０は、燃料カット条件成立時に、そのときのエンジン回転数、吸気管内圧力、冷却水温等をキーとして当該マップを検索し、遅延時間を知得する。しかして、燃焼カット条件成立からの経過時間を計数しておき、ステップＳ４にて、その経過時間がマップデータから決定された遅延時間に到達したことを以て、燃焼噴射を停止してよい状況に至ったものと判断する（燃料カットフラグをＯＮとする）。
【００４２】
燃料カットの開始即ち燃料噴射を停止した（ステップＳ６）後、アクセルペダルの踏込量が閾値を上回った、エンジン回転数が燃料カット復帰回転数まで低下した等の何れかの燃料カット終了条件が成立した暁には（ステップＳ７）、燃料カットを終了することとし、燃料噴射（及び、点火）を再開する（ステップＳ８）。燃料カットからの復帰時には、低落したエンジン回転数を回復するべく、ある期間燃料噴射量を増量して空燃比をリッチ化した後、空燃比を本来の目標である理論空燃比近傍の値に収束させる空燃比制御を実施する。
【００４３】
本実施形態では、所定の燃料カット条件が成立した場合に気筒１への燃料供給を一時停止する燃料カットを行うものであって、燃料カット条件成立後、内燃機関のクランクシャフトから駆動力の供給を受けて発電する発電機６３による発電量を逓増させ、その後、実際に気筒１への燃料供給を停止する以前に、増大させていた発電量を低下させることを特徴とする内燃機関の制御装置０を構成した。
【００４４】
本実施形態によれば、トルクショックが軽減されるのに必要十分な遅延時間（燃料カット条件成立時点から実際の燃料カット開始までの時間）を短縮することが可能となり、遅延時間における燃料の浪費を削減できる。加えて、その遅延時間において運動エネルギを電気エネルギに変換して回収することでも、燃費の良化に貢献する。しかも、気筒１への燃料供給の停止に伴うトルクショックを抑制して、ドライバビリティを維持することができる。
【００４５】
なお、本発明は以上に詳述した実施形態に限られるものではない。例えば、上記実施形態では、燃料カット成立時点ｔ0後、実際に燃料噴射を停止する時点ｔ1までの期間において、上記実施形態では、発電機６３による発電量（出力電圧またはｆＤＵＴＹ）を線形的に増大させていたが、図３中に細い破線で表しているように、発電量を非線形的に増大させてもよい。
【００４６】
上記実施形態では、燃料カット条件の成立（ステップＳ１）と同時または略同時に発電機６３による発電量の逓増（ステップＳ３）を開始していたが、燃料カットの成立と発電量の逓増の開始との間にタイムラグが存在してもよい。
【００４７】
また、上記実施形態では、一旦増大させていた発電量を低下させる（ステップＳ５）のと気筒１への燃料供給を停止する（ステップＳ６）のとを同時または略同時に行っていたが、発電量の低下と燃料供給の停止との間にタイムラグが存在してもよい。
【００４８】
発電機６３は、内燃機関の始動時にクランキングを行う、及び／または、内燃機関の始動後にクランクシャフトの回転をアシストする機能を兼ね備えたモータジェネレータであることがある。
【００４９】
その他、各部の具体的構成や処理の手順等は、本発明の趣旨を逸脱しない範囲で種々変形が可能である。
【産業上の利用可能性】
【００５０】
本発明は、車両等に搭載される内燃機関の制御に適用することができる。
【符号の説明】
【００５１】
０…制御装置（ＥＣＵ）
１…気筒
１１…インジェクタ
１２…点火プラグ
６３…発電機（オルタネータ）
【図１】
2015025408.tif 000003
【図２】
2015025408.tif 000004
【図３】
2015025408.tif 000005
【図４】
2015025408.tif 000006